(57)【要約】【課題】ヒートポンプサイクルを用いた加熱方式において、沸き上げ時の加熱効率（成績係数）の低下を防止でき、かつ高温湯の湯量および低温給湯用湯の湯量を容易に確保できるようにする。【解決手段】凝縮器によりヒートポンプ回路内の冷媒と水循環回路３１，３３内の水との間で熱交換を行わせ、水循環回路内に配置した複数の貯湯タンク内の水を沸き上げるシステムにおいて、複数の貯湯タンクを、ヒートポンプ本体３０の出側から順に直列配置して給湯側貯湯タンク１１と給水側貯湯タンク２１から構成し、給湯側貯湯タンクに貯湯タンクからの直接給湯が可能な高温給湯蛇口１４を設けた給湯管１５を接続して高温給湯ができるようにするとともに、給湯側貯湯タンクと給水側貯湯タンクに、それぞれ給水管２３，５０に連なる混合弁２４，５１と止水弁５５，５２を介して低温給湯蛇口２５，５３を設けた給湯管２６，５４を接続する。【選択図】図１
2007127303.tif 000002
【特許請求の範囲】
【請求項１】
水が循環する水循環回路と、前記水循環回路の途中に設けられて該水循環回路の一部を形成する複数の貯湯タンクと、ヒートポンプ回路が内蔵され、かつ該ヒートポンプ回路内の凝縮器部分を前記水循環回路が通過可能に構成され、該凝縮器により当該ヒートポンプ回路内の冷媒と前記水循環回路内の水との間で熱交換を行わせ、前記貯湯タンク内の水を沸き上げるヒートポンプ本体とを備えた貯湯式給湯システムであって、
前記複数の貯湯タンクを、前記ヒートポンプ本体の出側から順に直列配置して給湯側貯湯タンクと給水側貯湯タンクから構成し、前記給湯側貯湯タンクに貯湯タンクからの直接給湯が可能な高温給湯蛇口を設けた給湯管を接続して高温給湯ができるようにするとともに、前記給湯側貯湯タンクと給水側貯湯タンクに、それぞれ給水管に連なる混合弁と止水弁を介して低温給湯蛇口を設けた給湯管を接続し、各止水弁の選択的開放とそれに対応する混合弁とにより、選択された側の貯湯タンクの湯と水源からの水とを混合して低温給湯ができるように構成したことを特徴とする貯湯式給湯システム。
【請求項２】
前記水循環回路における前記ヒートポンプ本体の出側から分岐して前記給水側貯湯タンクに接続されたバイパス回路と、
前記ヒートポンプ本体の凝縮器により昇温された前記水循環回路内の湯の直接供給先を前記給湯側貯湯タンクと前記給水側貯湯タンクとの間で選択的に切り換える水循環路切換弁と、
を設けたことを特徴とする請求項１記載の貯湯式給湯システム。
【請求項３】
水が循環する水循環回路と、前記水循環回路の途中に設けられて該水循環回路の一部を形成する複数の貯湯タンクと、ヒートポンプ回路が内蔵され、かつ該ヒートポンプ回路内の凝縮器部分を前記水循環回路が通過可能に構成され、該凝縮器により当該ヒートポンプ回路内の冷媒と前記水循環回路内の水との間で熱交換を行わせ、前記貯湯タンク内の水を沸き上げるヒートポンプ本体とを備えた貯湯式給湯システムであって、
前記複数の貯湯タンクを、前記ヒートポンプ本体の出側から順に直列配置して給湯側貯湯タンクと給水側貯湯タンクから構成し、前記給湯側貯湯タンクに貯湯タンクからの直接給湯が可能な高温給湯蛇口を設けた給湯管を接続して高温給湯ができるようにするとともに、前記給湯側貯湯タンクと給水側貯湯タンクに、それぞれ給湯管の一端を接続するとともに、これら給湯管の他端を一本の管に統合し、かつこの統合給湯管の他端には給水管に連なる混合弁を介して低温給湯蛇口を接続するとともに、前記混合弁への湯の供給元を前記複数の貯湯タンクの間で選択的に切り換える湯元切換弁を設け、該湯元切換弁と前記混合弁とにより、選択された側の貯湯タンクの湯と水源からの水とを混合して、低温給湯ができるように構成したことを特徴とする貯湯式給湯システム。
【請求項４】
前記湯元切換弁は、前記２つのタンクから延びて一本の管に統合される各給湯管の合流点に配置した三方弁からなることを特徴とする請求項３記載の貯湯式給湯システム。
【請求項５】
前記水循環回路における前記ヒートポンプ本体の出側から分岐して前記給水側貯湯タンクに接続されたバイパス回路と、
前記ヒートポンプ本体の凝縮器により昇温された前記水循環回路内の湯の直接供給先を前記給湯側貯湯タンクと前記給水側貯湯タンクとの間で選択的に切り換える水循環路切換弁と、
を設けたことを特徴とする請求項４記載の貯湯式給湯システム。
【請求項６】
前記給湯側貯湯タンクから湯の取り出しを行う前記給湯管の接続位置を、該給湯側貯湯タンクの中央部としたことを特徴とする請求項１又は請求項３記載の貯湯式給湯システム。
【請求項７】
低温給湯の湯元が通常は前記給水側貯湯タンクとなるように接続し、該給水側貯湯タンクの貯湯温度が低温給湯温度を確保できない温度となった場合に、湯元を前記給湯側貯湯タンクへ切換接続することを特徴とする請求項２又は請求項４記載の貯湯式給湯システム。
【請求項８】
低温給湯の湯元を、低温水の使用量が多い時間帯は前記給水側貯湯タンクとなるように接続し、該時間帯を経過してから湯元を前記給湯側貯湯タンクへ切換接続することを特徴とする請求項１又は請求項３記載の貯湯式給湯システム。
【請求項９】
前記水循環路切換弁は、前記水循環回路と前記バイパス回路との分岐点に配置された三方弁からなることを特徴とする請求項２又は請求項５記載の貯湯式給湯システム。
【請求項１０】
前記給水側貯湯タンクの残湯量が少なくなった場合に、前記三方弁を前記給水側貯湯タンク側に切り換えて当該給水側貯湯タンク内の水の沸き上げを行うことを特徴とする請求項９記載の貯湯式給湯システム。
【請求項１１】
前記給水側貯湯タンクの沸き上げ温度を、前記給湯側貯湯タンクの沸き上げ温度より低く設定したことを特徴とする請求項１０記載の貯湯式給湯システム。
【発明の詳細な説明】
【技術分野】
【０００１】
本発明は、複数の貯湯タンクを備えた貯湯式給湯システムに関する。
【背景技術】
【０００２】
複数の貯湯タンクを備えた従来の貯湯式給湯システムは、第１の貯湯タンクと第２の貯湯タンクを水循環回路に並列接続し、ヒートポンプ回路を内蔵するヒートポンプ本体内の凝縮器により水循環回路内の水を加熱し、加熱された高温水を給湯用の切換弁（三方弁）で設定された第１の貯湯タンクまたは第２の貯湯タンクに供給して、供給された貯湯タンク内の水を沸き上げるようにしている（例えば、特許文献１参照）。
【０００３】
【特許文献１】特開２００４−１０１１３４号公報（６頁〜１２頁、図１〜図６）
【発明の開示】
【発明が解決しようとする課題】
【０００４】
ところで、ＣＯ2 を冷媒とするヒートポンプサイクルを用いた加熱方式により沸き上げを行う場合、沸き上げ前の水の温度はできるだけ低い方が沸き上げ時の加熱効率（成績係数）の低下を防止でき、経済的であることが知られている。しかしながら、第１の貯湯タンクと第２の貯湯タンクを水循環回路に並列接続したものにあっては、前記ヒートポンプサイクルを用いた加熱方式による沸き上げ時の加熱効率（成績係数）に関する考慮がなされておらず、このようなヒートポンプサイクルを用いた加熱方式によるメリットを享受できない。特に、前日の残湯がある状態で沸き上げをした場合、残湯が中温水としてタンク下部に滞留し、ますます加熱効率を低下させるという問題があった。
【０００５】
本発明の技術的課題は、ＣＯ2 を冷媒とするヒートポンプサイクルを用いた加熱方式において、沸き上げ時の加熱効率（成績係数）の低下を防止でき、かつ高温湯の湯量および低温給湯用湯の湯量を容易に確保できるようにすることにある。
【課題を解決するための手段】
【０００６】
本発明に係る貯湯式給湯システムは、水が循環する水循環回路と、水循環回路の途中に設けられてこの水循環回路の一部を形成する複数の貯湯タンクと、ヒートポンプ回路が内蔵され、かつこのヒートポンプ回路内の凝縮器部分を前記水循環回路が通過可能に構成され、凝縮器により当該ヒートポンプ回路内の冷媒と前記水循環回路内の水との間で熱交換を行わせ、貯湯タンク内の水を沸き上げるヒートポンプ本体とを備えた貯湯式給湯システムであって、前記複数の貯湯タンクを、前記ヒートポンプ本体の出側から順に直列配置して給湯側貯湯タンクと給水側貯湯タンクから構成し、前記給湯側貯湯タンクに貯湯タンクからの直接給湯が可能な高温給湯蛇口を設けた給湯管を接続して高温給湯ができるようにするとともに、前記給湯側貯湯タンクと給水側貯湯タンクに、それぞれ給水管に連なる混合弁と止水弁を介して低温給湯蛇口を設けた給湯管を接続し、各止水弁の選択的開放とそれに対応する混合弁とにより、選択された側の貯湯タンクの湯と水源からの水とを混合して低温給湯ができるように構成したものである。
【発明の効果】
【０００７】
本発明の貯湯式給湯システムによれば、水循環回路の途中に給湯側貯湯タンクと給水側貯湯タンクを直列に接続し、高温給湯は給湯側貯湯タンクより供給し、低温給湯は湯温の低い給水側貯湯タンクより優先的に供給することで、ヒートポンプ本体に入る水の温度を低くすることができ、沸き上げ時の加熱効率（成績係数）の低下を防止することが可能となる。また、給水側貯湯タンクの沸き上げ温度を低い温度に設定することで、ヒートポンプ本体での沸き上げる温度を下げることができ、加熱効率の低下を防止することができる。
更に、複数の貯湯タンクに、それぞれ途中に給水管に連なる混合弁と止水弁を有する給湯管の一端を接続するとともに、これら給湯管の他端にそれぞれ低温給湯蛇口を接続し、各止水弁の選択的開放とそれに対応する混合弁とにより、選択された側の貯湯タンクの湯と水源からの水とを混合して低温給湯蛇口から給湯できるように構成しているので、水循環回路におけるヒートポンプ本体の出側から遠い側の貯湯タンク、つまり湯温が比較的に低い側の貯湯タンクから順に低温給湯させることができる。このため、低温給湯用の湯の確保が容易となり、実質的に低温給湯に供することができる湯量を増やすことができる。また、このようにヒートポンプ本体の出側から遠い側の貯湯タンクから低温給湯が行われている間は、ヒートポンプ本体の出側から近い側の貯湯タンクにおいては、高温湯の直接給湯が行われない限り、中温水や低温水等の流入がなく、それによる湯温の低下がないため、高温湯の確保が容易となり、実質的に高温給湯に供することができる湯量を増やすことができる。
【発明を実施するための最良の形態】
【０００８】
実施の形態１．
図１は本発明の実施の形態１に係る貯湯式給湯システムを示す構成図、図２はそのバイパス回路を使用せずに沸き上げ開始した直後の状態を示す説明図、図３はその沸き上げ完了時の状態を示す説明図、図４はそのバイパス回路を使用して沸き上げ開始した直後の状態を示す説明図である。
【０００９】
本実施形態の貯湯式給湯システムは、給湯側貯湯タンクユニット１０に、給湯側貯湯タンク１１が内蔵され、給湯側貯湯タンク１１の上部に残湯量検出用の第１の温度センサ１２が取り付けられている。また給湯側貯湯タンク１１には、その下部に後段の給水側貯湯タンク２１と直列に接続するための連結管１３の一端１３ａが接続され、さらにその上部に高温給湯蛇口１４に連なる給湯管１５が、またその中央部に遠隔操作可能で給水管５０に連なる混合弁５１とその先に同様に遠隔操作可能な止水弁５２を介して低温給湯蛇口５３が設けられた給湯管５４が、それぞれ接続されていて、高温給湯蛇口１４から給湯側貯湯タンク１１内の高温の湯を直接給湯できるとともに、止水弁５２を開放することで、混合弁５１により給湯側貯湯タンク１１内の高温の湯と水源からの水とを混合して低温給湯蛇口５３から給湯できるようにしている。
【００１０】
また、給水側貯湯タンクユニット２０には、給水側貯湯タンク２１が内蔵され、給水側貯湯タンク２１の上部に残湯量検出用の第２の温度センサ２２が取り付けられている。また給水側貯湯タンク２１には、その下部に給水管２３が、さらにその上部には連結管１３の他端１３ｂが接続されているとともに、遠隔操作可能な混合弁２４とその先に同様に遠隔操作可能な止水弁５５を介して低温給湯蛇口２５が設けられた給湯管２６が接続されている。また、混合弁２４には給水管２３から分岐する分岐管も接続されており、止水弁５５を開放することで、混合弁２４によって給水管２３からの水と当該給水側貯湯タンク２１からの湯を混合して給湯できるようにしている。混合弁２４による水と湯の混合比率の制御は制御装置２７により行われるようになっている。すなわち、制御装置２７は、操作部２８で設定された設定温度と温度センサ２２又は１２により検知した温度情報とに基づき、低温給湯蛇口２５又は５３からの給湯温度が設定温度となるように混合弁２４又は５１を制御して、水と湯の混合比率を制御する機能を有する。
【００１１】
加熱源となるヒートポンプ本体３０には、ＣＯ2 を冷媒とするヒートポンプ回路（図示せず）が内蔵されている。ヒートポンプ回路は、周知のように圧縮機、凝縮器、膨張弁、蒸発器が冷媒回路内に直列に接続されて構成される。またヒートポンプ本体３０は、給水側貯湯タンクユニット２０の給水側貯湯タンク２１の下部と水循環配管３１で接続され、給水側貯湯タンク２１の下部より水が供給されるようになっているとともに、水循環配管３１に沸き上げ停止温度を検出する第３の温度センサ３２が取り付けてある。なお、ここでいう沸き上げ停止温度とは、操作部２８で設定された沸き上げ温度（例えば９０℃）ではなく、水循環配管３１部分で検出される水の温度から貯湯タンク内の水の温度が約９０℃になっていると推測できる温度であり、ここでは例えば４５℃に設定され、第３の温度センサ３２が４５℃を検出した段階で沸き上げを終了するようになっている。またヒートポンプ本体３０は、給湯側貯湯タンクユニット１０の給湯側貯湯タンク１１の上部と水循環配管３３で接続され、ヒートポンプ回路の凝縮器で加熱された湯を給湯側貯湯タンク１１の上部に供給できるようになっている。すなわち、ヒートポンプ本体３０は、ヒートポンプ回路内の凝縮器部分を水循環回路の一部をなす水循環配管３１又は３３が通過可能に構成され、凝縮器によりヒートポンプ回路内の冷媒と水循環回路内の水との間で熱交換を行わせ、貯湯タンク（通常時は給湯側貯湯タンク１１）内の水を沸き上げる機能を有する。
【００１２】
また、水循環回路におけるヒートポンプ本体３０の出側、つまり水循環配管３３から分岐して給水側貯湯タンク２１の上部に接続されたバイパス回路３４が設けられているとともに、水循環配管３３とバイパス回路３４との分岐点に、ヒートポンプ本体３０の凝縮器により昇温された水循環回路内の湯の直接供給先を給湯側貯湯タンク１１と給水側貯湯タンク２１の間で選択的に切り換える遠隔操作可能な水循環路切換弁（例えば三方弁）３５が設けられている。
【００１３】
制御装置２７は、前述した操作部２８によって設定された沸き上げ温度や沸き上げ時間と第１の温度センサ１２や第２の温度センサ２２の検出値とに基づいてヒートポンプ本体３０を運転制御し、沸き上げを開始し、切換弁３５を動作させて湯の供給先を給湯側貯湯タンク１１と給水側貯湯タンク２１の間で選択的に切り換え、第３の温度センサ３２の検出温度から沸き上げを判定してヒートポンプ本体３０の運転を停止させる機能を有する。また制御装置２７は、操作部２８によって設定された低温給湯温度と第２の温度センサ２２や第１の温度センサ１２の検出値とに基づいて低温給湯の湯元となる貯湯タンクを決定（給水側貯湯タンク２１が優先される）し、決定した貯湯タンク側の止水弁を開かせ、この止水弁を開いた貯湯タンク側の低温給湯蛇口からの給湯温度が設定温度となるように混合弁による水と湯の混合比率を制御する機能を持っている。
【００１４】
次に、本実施形態の貯湯式給湯システムの動作について図１〜図４を用いて説明する。まず、給水管２３から給水された市水は減圧弁（図示せず）で所定圧に減圧され、給水側貯湯タンク２１に給水され、連結管１３を経由して給湯側貯湯タンク１１に給水される。給水側貯湯タンク２１、給湯側貯湯タンク１１内の水はヒートポンプ本体３０に内蔵の循環ポンプ（図示せず）の運転により、給水側貯湯タンク２１の下部から水循環配管３１に取出されてヒートポンプ本体３０内の凝縮器で熱交換し、操作部２８で設定された温度（例えば９０℃）になるように加熱昇温され、三方弁３５を介して給湯側貯湯タンク１１上部に戻される。これにより、給湯側貯湯タンク１１の上部より湯が少量ずつ貯湯されて、給水側貯湯タンク２１にも湯が満たされ、水循環配管３１に取り付けてある第３の温度センサ３２が沸き上げ温度を判定するための温度（例えば４５℃）を検出すると、ヒートポンプ本体３０の運転を停止する。
【００１５】
通常の使用状態下（例えば連続低温給湯後）での沸き上げ開始時の状態とその時の低温給湯可否については図２のとおりである。すなわち、給湯側貯湯タンク１１は高温湯（約９０℃）と中温水（約４０〜６０℃）で満たされ、給水側貯湯タンク２１は市水より給水された水で満たされている。このとき、三方弁３５は給湯側貯湯タンク１１上部に湯を供給する方向に切り換えてある。また、給水側貯湯タンク２１が給水された水で満たされている状態では低温給湯に供することができる湯が存在しないため、給水側貯湯タンク２１側の止水弁５５は閉じられ、低温給湯蛇口２５からの低温給湯は不可となっているが、給湯側貯湯タンク１１側の止水弁５２は開かれ、低温給湯蛇口５３からの低温給湯は可能となっている。
【００１６】
沸き上げ終了直後の状態とその時の低温給湯可否については図３のとおりである。すなわち、給湯側貯湯タンク１１は高温湯（約９０℃）で満たされ、給水側貯湯タンク２１は高温湯と中温水（約４０〜６０℃）で満たされている。このとき、三方弁３５は給湯側貯湯タンク１１上部に湯を供給する方向に切り換えたままになっている。このように、給水側貯湯タンク２１が高温湯と中温水で満たされた状態となれば、低温給湯に供することができる湯が存在するので、低温給湯の湯元となる貯湯タンクが優先的に給水側貯湯タンク２１に決定され、給水側貯湯タンク２１側の止水弁５５が開かれ、低温給湯蛇口２５からの低温給湯を可能とするとともに、給湯側貯湯タンク１１側の止水弁５２を閉じ、低温給湯蛇口５３からの低温給湯を不可とし、給湯側貯湯タンク１１の高温状態が維持されるようにする。すなわち、給湯側貯湯タンク１１からの高温湯の直接給湯が行われない限り、給湯側貯湯タンク１１内へは中温水や低温水等が流入しない状態にする。これにより、給湯側貯湯タンク１１の湯温の低下が防止され、高温湯の確保が容易となり、実質的に高温給湯に供することができる湯量を増やすことができる。
【００１７】
既述したようにヒートポンプ方式による沸き上げ加熱性能は、ヒートポンプ本体３０に入る水の温度が低いときに沸き上げの加熱効率が高く、入る水の温度が高いときには沸き上げの加熱効率は低下する特性を持っている。そして、第３の温度センサ３２の検出値が低い値で沸き上げを停止するほど加熱性能は改善できる。したがって、通常の使用状態下では水循環回路中に給湯側貯湯タンク１１と給水側貯湯タンク２１が図２のように直列に接続されるようにすることで、沸き上げ開始時にヒートポンプ本体３０に入る水の温度を低くすることができ、加熱効率を向上させることができる。
【００１８】
給水側貯湯タンク２１の残湯が少ない場合の沸き上げ動作は図４のとおりである。すなわち、夜間等、所定時間蛇口の使用がない状態下で給水側貯湯タンク２１の第２の温度センサ２２が残湯少判定温度（例えば４０℃）以下を検出すると、給水側貯湯タンク２１の残湯が少ないことが分かる。この場合、給水側貯湯タンク２１からの低温給湯はできなくなる可能性があるため、三方弁３５を給水側貯湯タンク２１上部に湯が供給される方向に切り換えて、ヒートポンプ本体３０で沸き上げた湯を給水側貯湯タンク２１に直接供給する。これにより、給水側貯湯タンク２１から低温給湯ができなくなるのを防ぐことができる。なお、このときの給水側貯湯タンク２１の沸き上げ温度は、給湯側貯湯タンク１１の沸き上げ温度（例えば９０℃）より低い温度（例えば７０℃）に設定されているとともに、第３の温度センサ３２の検出値がより低い値で沸き上げが停止されるようなっている。ところで、ヒートポンプ方式による沸き上げ加熱性能は、ヒートポンプ本体３０から出湯される湯の温度が低いときは、沸き上げの加熱効率が高いが、ヒートポンプ本体３０から出湯される湯の温度が高いときは沸き上げの加熱効率は低下する特性を持っている。従って、前述のように給水側貯湯タンク２１の沸き上げ温度を低い温度（７０℃）に設定することで、ヒートポンプ本体３０で沸き上げる温度を下げることができ、加熱効率を向上することができる。
【００１９】
このように、水循環回路中に給湯側貯湯タンク１１と給水側貯湯タンク２１を直列に接続し、高温給湯は給湯側貯湯タンク１１より供給し、低温給湯は湯温の低い給水側貯湯タンク２１から順に供給することで、ヒートポンプ本体３０に入る水の温度を低くすることができ、沸き上げ時の加熱効率（成績係数）の低下を抑えることが可能となる。更に、給湯側貯湯タンク１１と給水側貯湯タンク２１に、それぞれ混合弁５１，２４と止水弁５２，５５を独立して設け、これら混合弁５１，２４と止水弁５２，５５を介してそれぞれ低温給湯蛇口５３，２５を設け、給水側貯湯タンク２１の残湯が少ない場合には、給水側貯湯タンク２１側の低温給湯蛇口２５からの低温給湯を不可として、自動的に給水側貯湯タンク２１の沸き上げを行うようにしているので、使用者に給水側貯湯タンク２１の残湯が少なく、沸き上げ中であることを知らせることができる。
【００２０】
また、ヒートポンプ本体３０の出側、つまり水循環配管３３から分岐して給水側貯湯タンク２１の上部に接続されるバイパス回路３４を設けるとともに、ヒートポンプ本体３０の凝縮器により昇温された水循環回路内の湯の直接供給先を給湯側貯湯タンク１１と給水側貯湯タンク２１の間で選択的に切り換える遠隔操作可能な水循環路切換弁（三方弁３５）を設け、給水側貯湯タンク２１の残湯が少ない場合には、三方弁３５を給水側貯湯タンク２１側に切り換えてヒートポンプ本体３０で沸き上げた湯を給水側貯湯タンク２１に直接供給できるようにしているので、残湯が少なくなりがちな給水側貯湯タンク２１の湯切れを防止する沸き上げが可能となる。
【００２１】
また、三方弁３５を水循環配管３３とバイパス回路３４との分岐点に配置することで、２つの貯湯タンクに対し単一の弁で流路の切換が可能となり、使用する弁の数を減らすことができる。
【００２２】
また、給湯側貯湯タンク１１から低温給湯用の湯の取り出しを行う給湯管５４の接続位置を、給湯側貯湯タンク１１の中央部としているので、給湯側貯湯タンク１１側の低温給湯蛇口５３が使用された場合でも、給湯側貯湯タンク１１の高温湯の湯切れを防止することができる。
【００２３】
また、湯張り等、低温水の使用量が多い夕方の時間帯は、低温給湯の湯元が給水側貯湯タンク２１となるように接続し、夕方の時間帯を経過してから湯元を給湯側貯湯タンク１１へ切換接続することで、給水側貯湯タンク２１内の中温水を少なくでき、ヒートポンプ本体３０の沸き上げ温度を低くでき、給水側貯湯タンク２１に直接供給する場合のヒートポンプ本体３０の沸き上げ温度を下げることができる。このため、沸き上げ時の加熱効率（成績係数）の低下を抑えることが可能となる。
【００２４】
このように、本実施形態の貯湯式給湯システムによれば、高温給湯は給湯側貯湯タンク１１より供給し、低温給湯は給水側貯湯タンク２１より優先的に供給し、残湯量や低温水の使用量が多い時間帯に応じて低温給経路の給湯可否を決定し、かつ給水側貯湯タンク２１への沸き上げ湯温を低くしているので、ヒートポンプ本体３０の沸き上げ温度を低くでき、沸き上げ時の加熱効率（成績係数）の低下を抑えることができ、更に給水側貯湯タンク２１の残湯が少なくなった場合には、給湯側貯湯タンク１１からの低温給湯に切り換えて使用することができるので、低温水だけでなく高温湯の湯切れも防止することができる。例えば、給湯側貯湯タンク１１が高温湯で満たされ、給水側貯湯タンク２１が中温水で満たされている場合、給湯側貯湯タンク１１から低温給湯を行えば、給湯側貯湯タンク１１内に給水側貯湯タンク２１から中温水が流れ込み、その分、給湯側貯湯タンク１１内の高温湯が少なくなる。一方、給水側貯湯タンク２１内の中温水を使い切ってから給湯側貯湯タンク１１からの低温給湯に切り換えた場合には、給水側貯湯タンク２１内の中温水を使い切るまでは給湯側貯湯タンク１１内に中温水が流れ込むことがないので、給湯側貯湯タンク１１内の高温湯の湯量を保持することができるとともに、給水側貯湯タンク２１内の中温水の残湯量が少なくなっても、低温給湯に使用できる湯が給湯側貯湯タンク１１内に多量にあるため、湯切れを起こすことが無くなる。
【００２５】
実施の形態２．
図５は本発明の実施の形態２に係る貯湯式給湯システムを示す構成図であり、図中、前述の実施の形態１と同一部分には同一符号を付してある。
【００２６】
本実施形態の貯湯式給湯システムは、給湯側貯湯タンク１１の中央部と給水側貯湯タンク２１の上部に、それぞれ給湯管６１，６２の一端を接続するとともに、これら給湯管６１，６２の他端を一本の管に統合し、この統合給湯管６３の他端には遠隔操作可能で給水管２３に連なる混合弁２４を介して低温給湯蛇口２５を接続している。また、給湯管６１，６２の合流点に、混合弁２４への湯の供給元を給湯側貯湯タンク１１と給水側貯湯タンク２１の間で選択的に切り換える遠隔操作可能な湯元切換弁（例えば三方弁）７０が設けられ、この三方弁７０と混合弁２４とにより、選択された側の貯湯タンクの湯と水源からの水とを混合して、低温給湯蛇口２５から給湯できるようにしている。また、統合給湯管６３における混合弁２４と低温給湯蛇口２５の間より分岐する分岐管６４が設けられ、分岐管６４の先端に新たに低温給湯蛇口６５が設けられているが、分岐管６４の途中にも更に低温給湯蛇口を設けてもよいものである。混合弁２４と三方弁７０は、制御装置２７Ａによって制御される。
【００２７】
制御装置２７Ａは、操作部２８によって設定された沸き上げ温度や沸き上げ時間と第１の温度センサ１２や第２の温度センサ２２の検出値とに基づいてヒートポンプ本体３０を運転制御し、沸き上げを開始し、切換弁３５を動作させてヒートポンプ本体３０で沸き上げた湯の供給先を給湯側貯湯タンク１１と給水側貯湯タンク２１の間で選択的に切り換え、第３の温度センサ３２の検出温度から沸き上げを判定してヒートポンプ本体３０の運転を停止させる機能を有する。また制御装置２７Ａは、操作部２８によって設定された低温給湯温度と第２の温度センサ２２や第１の温度センサ１２の検出値とに基づいて低温給湯の湯元となる貯湯タンクを決定（給水側貯湯タンク２１が優先される）し、決定した貯湯タンク側に三方弁７０を切り換え、低温給湯蛇口２５，６５からの給湯温度が設定温度となるように混合弁２４による水と湯の混合比率を制御する機能を持っている。それ以外の構成は前述の実施形態１のものと同一である。
【００２８】
このように、本実施形態の貯湯式給湯システムにおいては、給湯側貯湯タンク１１と給水側貯湯タンク２１にそれぞれ連なる給湯管６１，６２の他端を一本の管に統合し、この統合給湯管６３の他端に給水管２３に連なる混合弁２４を介して低温給湯蛇口２５を接続するとともに、給湯管６１，６２の合流点に、混合弁２４への湯の供給元を給湯側貯湯タンク１１と給水側貯湯タンク２１の間で選択的に切り換える遠隔操作可能な湯元切換弁７０を設けているので低温給湯用の湯の確保が容易となり、実質的に低温給湯に供することができる湯量を増やすことができる。また、ヒートポンプ本体３０の出側から遠い側の貯湯タンク（給水側貯湯タンク２１）から優先的に低温給湯が行われ、その間はヒートポンプ本体３０の出側から近い側の貯湯タンク（給湯側貯湯タンク１１）においては、高温湯の直接給湯が行われない限り、中温水や低温水等の流入がなく、それによる湯温の低下がないため、高温湯の確保が容易となり、実質的に高温給湯に供することができる湯量を増やすことができる。
【００２９】
また、混合弁２４と低温給湯蛇口２５の間より分岐する分岐管６４を設け、分岐管６４の先端に新たに低温給湯蛇口６５を設けることで、混合弁２４の先に低温給湯蛇口２５，６５を並列に接続しているので、低温給湯の湯元となる貯湯タンクが給水側貯湯タンク２１および給湯側貯湯タンク１１のいずれであっても全ての低温給湯蛇口２５，６５の使用が可能となる。
【００３０】
また、給湯管６１，６２の合流点に設けられて、混合弁２４への湯の供給元を給湯側貯湯タンク１１と給水側貯湯タンク２１の間で選択的に切り換える遠隔操作可能な湯元切換弁として三方弁７０を用いているので、低温給湯配管系で使用する弁の数を減らすことができる。
【００３１】
それ以外の通常の使用状態下（例えば連続低温給湯後）での沸き上げ開始時の状態および沸き上げ湯の水循環配管での流れは前述の図２で説明したと同様であり、沸き上げ終了直後の状態および沸き上げ湯の水循環配管での流れは前述の図３で説明したと同様であり、給水側貯湯タンク２１の残湯が少ない場合の沸き上げ動作および沸き上げ湯の水循環配管での流れは前述の図４で説明したと同様である。したがって、水循環配管系に関し前述の実施の形態１の持つ効果を全て有しているものである。
【００３２】
なお、前述の各実施の形態ではいずれも水循環回路中に２つの貯湯タンクを直列に接続したものを例に挙げて説明したが、これに限るものでなく、例えば３つあるいはそれ以上の数の貯湯タンクを直列に接続して、バイパス回路中に各貯湯タンクに対応する切換弁を設けてもよいことは言うまでもなく、その場合にはヒートポンプ本体３０に入る水の温度をより低くすることができて、ヒートポンプ方式による沸き上げ加熱性能を一層高めることができる。
【図面の簡単な説明】
【００３３】
【図１】本発明の実施の形態１に係る貯湯式給湯システムを示す構成図である。
【図２】本発明の実施の形態１に係る貯湯式給湯システムの通常の使用状態下での沸き上げ開始直後の状態を示す説明図である。
【図３】本発明の実施の形態１に係る貯湯式給湯システムの通常の使用状態下での沸き上げ終了直後の状態を示す説明図である。
【図４】本発明の実施の形態１に係る貯湯式給湯システムの貯湯タンクの残湯が少ない場合の沸き上げ動作の説明図である。
【図５】本発明の実施の形態２に係る貯湯式給湯システムを示す構成図である。
【符号の説明】
【００３４】
１１  給湯側貯湯タンク（貯湯タンク）、２１  給水側貯湯タンク（貯湯タンク）、２３，５０  給水管、２４，５１  混合弁、２５，５３，６５  低温給湯蛇口、２６，５４，６１，６２  給湯管、３０  ヒートポンプ本体、３１，３３  水循環回路、３４  バイパス回路、３５  三方弁（水循環路切換弁）、５２，５５  止水弁、６３  統合給湯管、６４  分岐管、７０  三方弁（湯元切換弁）。
【図１】
2007127303.tif 000003
【図２】
2007127303.tif 000004
【図３】
2007127303.tif 000005
【図４】
2007127303.tif 000006
【図５】
2007127303.tif 000007